(57)【要約】【課題】  案内体の取付形態に簡単な工夫を加えることによって、案内体の部品点数が拡大することを未然に回避できる中通し竿を提供する。【解決手段】  リールＲからの釣り糸ａを元竿１の内部に形成された糸案内経路ｂ内に導入する糸導入部３を形成し、糸導入部３に装着される案内体４をリールの存在側に位置する第１案内体部４Ａとリール存在側とは反対側に位置する第２案内体部４Ｂとで構成し、第１、第２案内体部４Ａ、４Ｂを半円弧状の鍔部４ａと鍔部４ａに直交する姿勢の半円筒部４ｂとで構成し、第１案内体部４Ａを糸導入部３の外側からその糸導入部３の嵌め込み、第２案内体部４Ｂを糸案内経路ｂ側から嵌め込み装着するように構成する。【選択図】        図１
2007312646.tif 000002
【特許請求の範囲】
【請求項１】
リールシートに装着したリールから繰出された釣り糸を竿体の内部に形成した糸案内経路に導入する糸導入部に、前記竿体の外周面に臨む外側開口と、前記竿体の糸案内経路を形成する内周面に臨む内側開口と、前記外側開口と前記内側開口とに亘る前記竿体の厚み部分を貫通する通路部分を形成するとともに、前記通路部分にその内周面を覆う糸導入用の案内体を装着してある中通し竿であって、
前記案内体を、前記リールシート存在側に位置する第１案内体部と、前記第１案内体部を挟んで前記リールシートとは反対側に位置する第２案内体部とで構成するとともに、前記第１案内体部を、前記外側開口を基準として前記内側開口に向けて前記内周面に沿った一定厚みに亘って装着し、前記第２案内体部を、前記内側開口を基準として前記外側開口に向けて前記内周面に沿った一定厚みに亘って装着してある中通し竿。
【請求項２】
前記第１案内体部と前記第２案内体部とが同一形状のものである請求項１記載の中通し竿。
【発明の詳細な説明】
【技術分野】
【０００１】
本発明は、リールシートに装着したリールから繰出された釣り糸を竿体の内部に形成した糸案内経路に導入する糸導入部に、前記竿体の外周面に臨む外側開口と、前記竿体の糸案内経路を形成する内周面に臨む内側開口と、前記外側開口と前記内側開口とに亘る前記竿体の厚み部分を貫通する通路部分を形成するとともに、前記通路部分にその内周面を覆う糸導入用の案内体を装着してある中通し竿に関する。
【背景技術】
【０００２】
案内体を糸導入部に装着するに、案内体の円筒部を糸導入部の外側開口から通路部分の内周面に沿って装着し、円筒部の上端に形成された鍔部を外側開口が形成されている竿の外周面に載置して取付けていた。従って、円筒部は外側開口を基準として通路部分の内周面に沿った一定厚みに亘って装着されていた（特許文献１参照）。
【０００３】
【特許文献１】特開２００２−３３５８１８号公報（公報段落番号〔００１６〕、図２〜図４）
【発明の開示】
【発明が解決しようとする課題】
【０００４】
ところで、リールから繰出された釣り糸は、糸導入部から糸案内経路内に入って行く際には、まず、リールに近い側に位置する案内体部の鍔部に接触案内されて糸案内経路内に誘導される。糸案内経路内に誘導された釣り糸は、魚が掛かって強い引張力が作用すると、リールから離れた側に位置する案内体部の円筒部下端に接触して案内されることとなる。
一方、糸導入部における案内体を取付ける通路部分の厚みは竿の仕様によって種々異なるものである。そうすると、案内体部の円筒部の軸線長さが一定であると、円筒部が厚みに達しない場合がある。この場合には、前記引張力を受けた釣り糸は、糸案内経路内に誘導される際に、リールから離れた側に位置する案内体部の円筒部下端には接触せずに、糸導入部の内側開口の角部に直接接触することとなり、円滑な糸の誘導が行えないこととなる。
このような事態を回避しようとするには、糸導入部における案内体を取付ける部分の厚みに適した円筒部の長さを持ったものとする必要があり、部品点数が多数になる虞があった。
【０００５】
本発明の目的は、案内体の取付形態に簡単な工夫を加えることによって、案内体の部品点数が拡大することを未然に回避できる中通し竿を提供する点にある。
【課題を解決するための手段】
【０００６】
〔構成〕
請求項１に係る発明の特徴構成は、前記案内体を、前記リールシート存在側に位置する第１案内体部と、前記第１案内体部を挟んで前記リールシートとは反対側に位置する第２案内体部とで構成するとともに、前記第１案内体部を、前記外側開口を基準として前記内側開口に向けて前記内周面に沿った一定厚みに亘って装着し、前記第２案内体部を、前記内側開口を基準として前記外側開口に向けて前記内周面に沿った一定厚みに亘って装着してある点にあり、その作用効果は次の通りである。
【０００７】
〔作用〕
リールシートから離れた側に位置する第２案内体部を前記糸導入部の内側開口を基準として装着することとした。つまり、案内体装着部の厚みが異なるものであっても、糸導入部の内側開口部位には、第２案内体部が必ず位置することとなる。
これによって、糸導入部に案内された釣り糸は、糸導入部から糸案内経路に導かれる場合に、第２案内体部に案内されることとなる。
【０００８】
〔効果〕
このように、第２案内体部の取付方を糸導入部の内側開口を基準に取付けるという簡単な取付方法の変更によって、糸導入部の厚みが異なるものであっても、円筒部の長さが異なるものを複数種類準備する必要がなく、第２案内体部を兼用できる。
また、糸導入部に誘導される釣り糸の導入形態に即した第１案内体部、及び、第２案内体部の取付方に工夫を凝らすことによって、第１案内体部、及び、第２案内体部の種類を抑制したものにできる。
【０００９】
請求項２に係る発明の特徴構成は、請求項１に係る発明において、前記第１案内体部と前記第２案内体部とが同一形状のものである点にあり、その作用効果は次の通りである。
【００１０】
〔作用効果〕
つまり、糸導入部の外側開口を基準に取付ける第１案内体部と内側開口を基準に取付ける第２案内体部であっても、同一形状に形成することによって兼用化できる。
【発明を実施するための最良の形態】
【００１１】
磯竿等の中通し竿Ａについて説明する。図１に示すように、竿体としての元竿１にリールシートとしての筒状リールシート２を装着するとともに、筒状リールシート２の竿先側にその筒状リールシートに装着されたリールＲから繰出される釣り糸ａを元竿１の糸案内経路ｂに導入する糸導入部３を形成してある。
【００１２】
図１に示すように、糸導入部３を形成した元竿１の部分は肉厚の厚い厚肉部１Ａに形成されており、糸導入部３を形成することによる強度低下を抑える構成となっている。
図２に示すように、糸導入部３は、元竿１の外周面に臨む楕円状の外側開口３ａと、糸案内経路ｂを形成する元竿１の内周面に臨む楕円状の内側開口３ｂと、外側開口３ａと内側開口３ｂとに亘る元竿１の厚み部分を貫通する通路部分３ｃを形成して構成してある。
【００１３】
糸導入部３に案内体４を取付ける構成について説明する。図２に示すように、糸導入部３の通路部分３ｃに沿って糸導入用の案内体４を装着してある。
糸導入用の案内体４としては、滑り易く磨耗し難い材料が選択される。例えば、炭化ケイ素やアルミナ等のセラミック、セラミックと金属の性質を併せ持ったサーメット、或いは、超硬合金が該当する。
【００１４】
図２及び図３に示すように、案内体４を、リールシート存在側に位置する第１案内体部４Ａと、第１案内体部４Ａを挟んで筒状リールシート２とは反対側に位置する第２案内体部４Ｂとで構成する。
第１案内体部４Ａは、半円弧状を呈する鍔部４ａとその鍔部４ａの下方に続く半円筒部４ｂとを一体に形成してある。第２案内体部４Ｂは、半円弧状を呈する鍔部４ａとその鍔部４ａの上方に続く半円筒部４ｂとを一体に形成してある。つまり、第１案内体部４Ａと第２案内体部４Ｂとは形状等が同一の同一仕様に形成された同一部品である。
【００１５】
図２に示すように、第１案内体部４Ａを装着する場合は、鍔部４ａを、糸導入部３を形成した元竿１の外周面に外側から当て付けるように載置するとともに、鍔部４ａの下方に延出されている半円筒部４ｂを糸導入部３の通路部分３ｃの内周面に当てつけて元竿の糸案内経路ｂに向かって入り込む状態に取付ける。つまり、第１案内体部４Ａを糸導入部３の外側開口を基準として通路部分３ｃに沿った一定厚みに亘って装着することとする。
【００１６】
第２案内体部４Ｂを装着する場合には、次ぎのようにする。図２に示すように、元竿１の厚肉部１Ａを貫通して形成した糸導入部３における糸案内経路ｂに面する内側開口３ｂの大径側に円弧状の取付座１ａを形成する。
第２案内体部４Ｂを取付けるには、まず、第２案内体部４Ｂを糸導入部３を介して糸案内経路ｂ内に取り込む。取り込んだ第２案内体部４Ｂを、適当な治具に支持させた状態で、鍔部４ａを取付座１ａに下から当て付け半円筒部４ｂを通路部分３ｃの内周面に沿って上方に立ち上げて装着する。これによって、前記第２案内体部４Ｂを糸導入部３の糸案内経路ｂに面する内側開口３ｂを基準として通路部分３ｃに沿った一定厚みに亘って装着することとなる。
【００１７】
次に、前記した取付座１ａを形成する方法について説明する。図５に示すように、マンドレル５に取付座１ａの形成用の楕円形板材６を載置し、３枚のメインパターン７を巻回する。３枚のメインパターン７は、第１メインパターン７Ａ、第２メインパターン７Ｂ、第３メインパターン７Ｃとで構成され、第１メインパターン７Ａは、炭素繊維等の強化繊維を周方向に引き揃え配置したものにエポキシ等の熱硬化性樹脂を含浸させて構成したシートを所定形状に裁断したものである。
【００１８】
第２メインパターン７Ｂは強化繊維の引き揃え方向が竿の軸線方向に沿って引き揃えたものであり、第３メインパターン７Ｃは、強化繊維の引き揃え方向が周方向に引き揃えたものである。尚、メインパターンの数は適宜選択可能であり、また、メインパターン７に比べて軸線方向に沿った長さが短く、竿先端又は竿尻端に施される補強パターン等を選択して使用可能である。メインパターン７の板厚としては、０．０５ｍｍ〜０．１５ｍｍの厚さに設定されている。
【００１９】
楕円形板材６は取付座１ａを形成する為に、０．４ｍｍ厚のものが使用され、糸導入部３の外側開口３ａ及び内側開口３ｂの開口面積より若干大きな面積のものに設定してある。そして、取付座１ａを形成した後には、元竿１より剥離する為に、楕円形板材６としては、シリコン、ポリオレフィン等を材料とする。
【００２０】
上記したように、マンドレル５に楕円形板材６を載置し、３枚のメインパターン７を巻回した状態で、図示していない成形テープで巻締めて、マンドレル５とともに、焼成炉で焼成する。焼成後、成形テープを剥離し、糸導入部３の外側開口３ａ、内側開口３ｂ、通路部分３ｃを加工する。孔開け加工の段階で楕円形板材６は自己剥離性により元竿１の内周面より外れて、自動的に取付座１ａが形成される。
このように、取付座１ａを形成することによって、第２案内体部４Ｂの鍔部４ａをこの取付座１ａに下から装着することができる。
以上のように、第１案内体部４Ａと第２案内体部４Ｂの装着状態を固定する為に、接着剤等で接着する。
【００２１】
〔別実施形態〕
（１）  上記実施形態においては、第１案内体部４Ａと第２案内体部４Ｂを同一仕様のものに形成して、兼用化できるものを提案したが、必ずしも、同一仕様、同一形状に拘るものではなく、別形状で別仕様のものに構成してもよい。
（２）  図示はしていないが、糸導入部３の外側開口３ａとリールシート２との間に、リールＲから繰り出された釣り糸ａを糸導入部３の外側開口３ａに誘導すべく、元竿１の外周面に外付けの釣り糸ガイドを設けてもよい。
（３）  糸導入部３を形成する竿体としては、リールシート２を取り付けた元竿１等とは異なる元上等に設けてもよい。
（４）  リールシート２としては、筒状リールシートだけでなく、板状リールシートであってもよい。
【図面の簡単な説明】
【００２２】
【図１】（イ）元竿を示めす側面図、（ロ）元竿の糸導入部を示す縦断側面図
【図２】元竿の糸導入部に案内体を装着する前の状態を示す縦断側面図
【図３】元竿の糸導入部に案内体装着した状態を示す平面図
【図４】第２案内体部を装着した状態を示す縦断後面図
【図５】（イ）楕円形板材をマンドレルに載せつけた状態でメインパターンを巻回する前の状態を示す斜視図、(ロ)マンドレルにメインパターンを巻回した状態を示す斜視図、（ハ）糸導入部を形成し、楕円形板材を取り外した状態を示す縦断側面図
【符号の説明】
【００２３】
１            竿体
２            リールシート（筒状リールシート）
３            糸導入部
３ａ          外側開口
３ｂ          内側開口
３ｃ          通路部分
４            案内体
４Ａ          第１案内体部
４Ｂ          第２案内体部
ａ            釣り糸
ｂ            糸案内経路
【図１】
2007312646.tif 000003
【図２】
2007312646.tif 000004
【図３】
2007312646.tif 000005
【図４】
2007312646.tif 000006
【図５】
2007312646.tif 000007